(57)【要約】【課題】野縁受け、並びにそれに支持されている金具、野縁、仕上げ材及び設置物等がハンガーから脱落するのを抑制することが可能な天井構造を提供する。【解決手段】躯体Ａから吊り下げられた吊りボルト１０と、吊りボルト１０に固定され、野縁受け４０を支持可能なハンガー３０と、上下方向に対して傾斜する方向に延出され、下側がハンガー３０に接続されると共に上側が当該ハンガー３０が固定された吊りボルト１０とは異なる吊りボルト１０又は躯体Ａに接続されるワイヤ１４０Ｌ・１４０Ｒと、を具備する。【選択図】図１
2019060213.tif 000002
【特許請求の範囲】
【請求項１】
躯体から吊り下げられた吊りボルトと、
前記吊りボルトに固定され、野縁受けを支持可能なハンガーと、
上下方向に対して傾斜する方向に延出され、下側が前記ハンガーに接続されると共に上側が当該ハンガーが固定された前記吊りボルトとは異なる吊りボルト又は前記躯体に接続されるワイヤと、
を具備する、
天井構造。
【請求項２】
前記ハンガーは、
前記野縁受けが載置される底部と、前記底部から立ち上がる一対の側壁と、を有すると共に当該一対の側壁の間に開口部が形成され、
前記ワイヤの前記下側は、
前記ハンガーの前記開口部が開くのを抑制するように、前記ハンガーの前記一対の側壁に取り付けられる、
請求項１に記載の天井構造。
【請求項３】
前記ワイヤの前記下側は、
前記ワイヤが引っ張られることにより、前記ハンガーの前記一対の側壁に対して前記開口部を閉じるような力を加える、
請求項２に記載の天井構造。
【請求項４】
前記ハンガーよりも上方において、当該ハンガーが固定された前記吊りボルトに設けられ、前記ワイヤを前記ハンガーへと案内する案内部材をさらに具備する、
請求項２又は請求項３に記載の天井構造。
【請求項５】
複数の前記吊りボルトを跨いで前記複数の吊りボルトに取り付けられると共に、前記案内部材よりも下方に配置される水平材をさらに具備する、
請求項４に記載の天井構造。
【請求項６】
上下方向に対して傾斜する方向が、上下方向から見て互いに異なる複数の前記ワイヤを具備する、
請求項１から請求項５までのいずれか一項に記載の天井構造。
【請求項７】
前記ワイヤの前記上側は、
前記異なる吊りボルトの上端部に取り付けられる、
請求項１から請求項６までのいずれか一項に記載の天井構造。
【請求項８】
前記ワイヤは、
前記上側を含む第一ワイヤと、
前記下側を含む第二ワイヤと、
を具備し、
前記天井構造は、
前記第一ワイヤと前記第二ワイヤとを連結すると共に、前記第二ワイヤを前記第一ワイヤに接近する方向に付勢する付勢部材をさらに具備する、
請求項１から請求項７までのいずれか一項に記載の天井構造。
【発明の詳細な説明】
【技術分野】
【０００１】
本発明は、躯体から吊り下げられた吊りボルトと、吊りボルトに固定され、野縁受けを支持可能なハンガーと、を具備する天井構造の技術に関する。
【背景技術】
【０００２】
従来、躯体から吊り下げられた吊りボルトと、吊りボルトに固定され、野縁受けを支持可能なハンガーと、を具備する天井構造の技術は公知となっている。特許文献１は、当該天井構造において、ワイヤー連結金具を用いてワイヤを設置している。
【０００３】
特許文献１に記載されるワイヤは、一端部がワイヤー連結金具を介して吊りボルトに固定されると共に、他端部が照明器具等の天井の設置物に固定される。前記ワイヤは、地震等が発生して、野縁受けがハンガーから脱落した場合や野縁受けに支持される金具（クリップ等）が外れた場合等に、設置物を支持することができる。これにより、設置物が脱落するのを抑制することができる。
【０００４】
ここで、例えば地震が発生して揺れた場合に、当該揺れに応じてハンガーが変形することがある。しかし、特許文献１に記載されるワイヤは、ハンガーの変形について何ら考慮されていないため、当該ハンガーの変形によって、野縁受け、並びにそれに支持されている金具、野縁、仕上げ材及び設置物等が当該ハンガーから脱落するおそれがあった。
【先行技術文献】
【特許文献】
【０００５】
【特許文献１】特開２０１３−２４５６８８号公報
【発明の概要】
【発明が解決しようとする課題】
【０００６】
本発明は、以上の如き状況を鑑みてなされたものであり、その解決しようとする課題は、野縁受け、並びにそれに支持されている金具、野縁、仕上げ材及び設置物等がハンガーから脱落するのを抑制することが可能な天井構造を提供するものである。
【課題を解決するための手段】
【０００７】
本発明の解決しようとする課題は以上の如くであり、次にこの課題を解決するための手段を説明する。
【０００８】
即ち、請求項１においては、躯体から吊り下げられた吊りボルトと、前記吊りボルトに固定され、野縁受けを支持可能なハンガーと、上下方向に対して傾斜する方向に延出され、下側が前記ハンガーに接続されると共に上側が当該ハンガーが固定された前記吊りボルトとは異なる吊りボルト又は前記躯体に接続されるワイヤと、を具備するものである。
【０００９】
請求項２においては、前記ハンガーは、前記野縁受けが載置される底部と、前記底部から立ち上がる一対の側壁と、を有すると共に当該一対の側壁の間に開口部が形成され、前記ワイヤの前記下側は、前記ハンガーの前記開口部が開くのを抑制するように、前記ハンガーの前記一対の側壁に取り付けられるものである。
【００１０】
請求項３においては、前記ワイヤの前記下側は、前記ワイヤが引っ張られることにより、前記ハンガーの前記一対の側壁に対して前記開口部を閉じるような力を加えるものである。
【００１１】
請求項４においては、前記ハンガーよりも上方において、当該ハンガーが固定された前記吊りボルトに設けられ、前記ワイヤを前記ハンガーへと案内する案内部材をさらに具備するものである。
【００１２】
請求項５においては、複数の前記吊りボルトを跨いで前記複数の吊りボルトに取り付けられると共に、前記案内部材よりも下方に配置される水平材をさらに具備するものである。
【００１３】
請求項６においては、上下方向に対して傾斜する方向が、上下方向から見て互いに異なる複数の前記ワイヤを具備するものである。
【００１４】
請求項７においては、前記ワイヤの前記上側は、前記異なる吊りボルトの上端部に取り付けられるものである。
【００１５】
請求項８においては、前記ワイヤは、前記上側を含む第一ワイヤと、前記下側を含む第二ワイヤと、を具備し、前記天井構造は、前記第一ワイヤと前記第二ワイヤとを連結すると共に、前記第二ワイヤを前記第一ワイヤに接近する方向に付勢する付勢部材をさらに具備するものである。
【発明の効果】
【００１６】
本発明の効果として、以下に示すような効果を奏する。
【００１７】
請求項１においては、野縁受け、並びにそれに支持されている金具、野縁、仕上げ材及び設置物等がハンガーから脱落するのを抑制することができる。
【００１８】
請求項２においては、野縁受け、並びにそれに支持されている金具、野縁、仕上げ材及び設置物等がハンガーから脱落するのを効果的に抑制することができる。
【００１９】
請求項３においては、野縁受け、並びにそれに支持されている金具、野縁、仕上げ材及び設置物等がハンガーから脱落するのを効果的に抑制することができる。
【００２０】
請求項４においては、ハンガーがねじれる、あるいは傾くのを抑制することができる。
【００２１】
請求項５においては、野縁受け、並びにそれに支持されている金具、野縁、仕上げ材及び設置物等がハンガーから脱落するのを効果的に抑制することができる。
【００２２】
請求項６においては、ハンガーが揺れるのを効果的に抑制することができる。
【００２３】
請求項７においては、取付性を向上させつつ、ハンガーが揺れるのを効果的に抑制することができる。
【００２４】
請求項８においては、ワイヤが引っ張られた際の衝撃を緩和することができ、さらにハンガーが躯体に対してが揺れるのを抑制する相乗効果が得られる。
【図面の簡単な説明】
【００２５】
【図１】天井構造を示した正面図。
【図２】吊りボルトの下端部近傍を示した部分側面断面図。
【図３】ワイヤの上端部を上側金具に取り付ける様子を示した拡大正面図。
【図４】（ａ）下側金具を示した平面図。（ｂ）同じく、側面図。
【図５】躯体が左方に揺れる様子を示した正面図。
【図６】ハンガーの開口部を閉じる様子を示した部分側面断面図。
【図７】躯体が右方に揺れる様子を示した正面図。
【図８】複数の抑制機構が設けられた状態を示した正面図。
【図９】第一変形例に係る抑制機構を示した平面図。
【図１０】第二変形例に係る抑制機構を示した正面図。
【図１１】第三変形例に係る抑制機構を示した正面図。
【発明を実施するための形態】
【００２６】
以下の説明においては、図中に記した矢印に従って、上下方向、左右方向及び前後方向をそれぞれ定義する。
【００２７】
以下では、本実施形態に係る天井構造１について説明する。
【００２８】
図１に示す天井構造１は、建物の天井Ｂを形成するためのものである。天井構造１は、例えば、店舗及び商業施設等の建物に採用される。天井構造１は、吊りボルト１０、水平材２０、ハンガー３０、野縁受け４０、クリップ５０、野縁６０、下地材７０、仕上げ材８０、及び抑制機構１００を具備する。
【００２９】
吊りボルト１０は、躯体Ａから吊り下げられるものである。吊りボルト１０は、吊りボルト支持金具を用いて鋼材に取り付けられることで躯体Ａに固定される（不図示）。吊りボルト１０は、左右方向及び前後方向に間隔をあけて複数設けられる。なお、以下においては、図１に記載される吊りボルト１０に着目して天井構造１の構成を説明する。また、図１の紙面左側に記載される吊りボルト１０を「左側の吊りボルト１０」、紙面左右中央に記載される吊りボルト１０を「中央の吊りボルト１０」、紙面右側に記載される吊りボルト１０を「右側の吊りボルト１０」と称する。また、これらをまとめて「３つの吊りボルト１０」と称する。
【００３０】
水平材２０は、複数（図１においては３つ）の吊りボルト１０を補強するためのものである。水平材２０は、その長手方向を左右方向に向けた長尺状に形成される。水平材２０は、３つの吊りボルト１０を跨ぐように配置され、金具や締結部材等を介して３つの吊りボルト１０の下部近傍中途部に固定される。なお、後述する図２及び図６においては、抑制機構１００の説明のため、水平材２０の記載を省略している。
【００３１】
ハンガー３０は、後述する野縁受け４０を支持するためのものである。図２に示すように、ハンガー３０は、金属製の板状部材を適宜折り曲げたような側面視略Ｊ字状に形成される。ハンガー３０は、底部３１、前後一対の側壁３２、固定部３３及び開口部３４を具備する。
【００３２】
底部３１は、ハンガー３０の下端部である。底部３１は、その板面を上下方向に向けた略板状に形成される。
【００３３】
前後一対の側壁３２は、底部３１の前端部及び後端部からそれぞれ立ち上がるように形成される略板状の部分である。後側の側壁３２は、前側の側壁３２よりもその上下方向幅（高さ）が大きくなるように形成される。前後一対の側壁３２には、前後に貫通する取付孔３２ａがそれぞれ形成される。前側の側壁３２に形成される取付孔３２ａは、前側の側壁３２の上部に形成される。後側の側壁３２に形成される取付孔３２ａは、前側の側壁３２の取付孔３２ａと正面視で重なるように形成される。なお、図１、後述する図５、図７、図８及び図１０においては、取付孔３２ａの記載を省略している。
【００３４】
固定部３３は、吊りボルト１０に固定される部分である。固定部３３は、その板面を上下方向に向けた略板状に形成される。固定部３３は、後側の側壁３２の上端部から後方へ水平に突出するように形成される。
【００３５】
開口部３４は、ハンガー３０において上方に開口する部分である。開口部３４は、前後一対の側壁３２の間（前側の側壁３２の上端部と後側の側壁３２の上下中途部との間）に形成される。
【００３６】
このように構成されるハンガー３０は、図１及び図２に示すように、ナット等の締結部材を介して固定部３３が吊りボルト１０の下端部に固定されることで、３つの吊りボルト１０にそれぞれ固定される。なお、以下においては、図１の紙面左側に記載されるハンガー３０を「左側のハンガー３０」、紙面左右中央に記載されるハンガー３０を「中央のハンガー３０」、紙面右側に記載されるハンガー３０を「右側のハンガー３０」と称する。また、これらをまとめて「３つのハンガー３０」と称する。
【００３７】
野縁受け４０は、後述する野縁６０を支持するためのものである。野縁受け４０は、その長手方向を左右方向に向けた長尺状に形成される。また、野縁受け４０は、側面視略Ｃ字状に形成される。このような野縁受け４０は、ハンガー３０の開口部３４からハンガー３０の内側（底部３１及び前後一対の側壁３２の間の空間）に収容される。これにより、野縁受け４０は、ハンガー３０の底部３１に載置されると共に、３つのハンガー３０を跨ぐように配置される。
【００３８】
クリップ５０は、野縁６０を野縁受け４０に固定するための金具である。クリップ５０は、金属製の板状部材を適宜折り曲げたような側面視略逆Ｊ字状に形成される。クリップ５０は、その上部が野縁受け４０に引っ掛けられると共に当該野縁受け４０を前後から挟むように折り曲げられることで、野縁受け４０に支持される。クリップ５０は、左右に間隔をあけて複数配置される。図１においては、左側のハンガー３０と中央のハンガー３０との間に２つのクリップ５０が配置されると共に、中央のハンガーと右側のハンガー３０との間に２つのクリップ５０が配置されている。なお、図２及び図６においては、抑制機構１００の説明のため、クリップ５０の記載を省略している。
【００３９】
野縁６０は、後述する下地材７０及び仕上げ材８０を支持するためのものである。野縁６０は、その長手方向を前後方向に向けた長尺状に形成される。野縁６０は、その上部が開口する正面視略Ｕ字状に形成されると共に、その上端部に左右内側へ突出するリップ部が形成される。野縁６０は、当該リップ部がクリップ５０の下部と係合される。野縁６０は、左右に間隔をあけて複数設けられる。なお、図２及び図６においては、抑制機構１００の説明のため、野縁６０の記載を省略している。
【００４０】
下地材７０及び仕上げ材８０は、その板面を上下に向けた略板状の部材である。下地材７０及び仕上げ材８０は、上下に並んで配置され、野縁６０に固定される。下地材７０及び仕上げ材８０には、エアコン等の設置物（不図示）が適宜設置される。なお、図２及び図６においては、抑制機構１００の説明のため、下地材７０及び仕上げ材８０の記載を省略している。
【００４１】
以上の如く構成された吊りボルト１０、水平材２０、ハンガー３０、野縁受け４０、クリップ５０、野縁６０、下地材７０及び仕上げ材８０等により、天井Ｂが形成される。当該天井Ｂにおいて、野縁受け４０は、地震等が発生してハンガー３０が揺れた場合に、前後一対の側壁３２を押圧したり前後一対の側壁３２と衝突する等して前後一対の側壁３２に荷重をかけてハンガー３０の開口部３４を開き、当該ハンガー３０から脱落する可能性がある。当該脱落により、野縁受け４０に支持されているクリップ５０、野縁６０、下地材７０、仕上げ材８０及び設置物等も脱落してしまう。そこで、本実施形態に係る天井構造１は、このような野縁受け４０、クリップ５０、野縁６０、下地材７０、仕上げ材８０及び設置物等（以下、「ハンガー３０から下の部材」と称する）の脱落を抑制するために、抑制機構１００を設けている。
【００４２】
抑制機構１００は、天井構造１において前後方向及び左右方向に間隔をあけて複数設けられ、複数のハンガー３０の揺れを抑制する（図８参照）。なお、以下においては、図１に示す中央のハンガー３０の揺れを抑制するための抑制機構１００を例に挙げて、抑制機構１００の構成について説明する。抑制機構１００は、左右一対の上側金具１１０、左右一対のフック１２０（図３参照）、下側金具１３０、左右一対のワイヤ１４０Ｌ・１４０Ｒ及び左右一対のターンバックル１５０を具備する。
【００４３】
図１及び図３に示す左右一対の上側金具１１０は、後述する左右一対のワイヤ１４０Ｌ・１４０Ｒを吊りボルト１０に取り付けるための略筒状の部材である。左右一対の上側金具１１０の外周面には、略円環状に形成される取付部１１１がそれぞれ形成される。このような左右一対の上側金具１１０は、その内周面に形成された雌ネジ部が吊りボルト１０に螺合されることで吊りボルト１０の上端部に固定される。これによって、左側の上側金具１１０は、左側の吊りボルト１０に固定される。また、右側の上側金具１１０は、右側の吊りボルト１０の上端部に固定される。
【００４４】
左右一対のフック１２０は、左右一対の上側金具１１０に左右一対のワイヤ１４０Ｌ・１４０Ｒを取り付けるためのものである。左側のフック１２０は、その先端部１２１が左側の上側金具１１０の取付部１１１に引っ掛けられることで、左側の上側金具１１０に取り付けられる。また、右側のフック１２０は、その先端部１２１が右側の上側金具１１０の取付部１１１に引っ掛けられることで、右側の上側金具１１０に取り付けられる（不図示）。なお、図１、図５、図７、図８及び図１０においては、左右一対のフック１２０の記載を省略している。
【００４５】
図１及び図４に示す下側金具１３０は、左右一対のワイヤ１４０Ｌ・１４０Ｒを中央のハンガー３０へと案内するための略筒状の部材である。下側金具１３０は、第一貫通孔１３１及び第二貫通孔１３２を具備する。
【００４６】
第一貫通孔１３１は、下側金具１３０の中央部を上下に貫通する平面視略円状の孔である。第一貫通孔１３１は、その内周面に雌ネジ部が形成される。
【００４７】
第二貫通孔１３２は、第一貫通孔１３１の前方、後方、左方及び右方にそれぞれ形成され、下側金具１３０を上下に貫通する平面視略半楕円状の孔である。
【００４８】
このように構成される下側金具１３０は、第一貫通孔１３１が中央の吊りボルト１０に螺合されることで、中央の吊りボルト１０の下部近傍中途部に固定される。このような下側金具１３０は、水平材２０よりも上方に配置される。
【００４９】
図１から図３までに示す左右一対のワイヤ１４０Ｌ・１４０Ｒは、左側及び右側の吊りボルト１０と中央のハンガー３０とを連結するためのものである。以下においては、左側のワイヤ１４０Ｌを例に挙げて左右一対のワイヤ１４０Ｌ・１４０Ｒの構成を説明する。左側のワイヤ１４０Ｌは、後述する左側のターンバックル１５０により接続された上下２本のワイヤにより構成される。
【００５０】
前記上下２本のワイヤのうち、上側のワイヤである第一ワイヤ１４１は、右下方（左上方）に延びるように形成される。第一ワイヤ１４１は、その上端部が左側のフック１２０に取り付けられる。これにより、第一ワイヤ１４１は、左側のフック１２０及び左側の上側金具１１０を介して左側の吊りボルト１０に接続される。また、第一ワイヤ１４１の下端部は、ターンバックル１５０に取り付けられ、左側の吊りボルト１０と中央の吊りボルト１０との間に配置される。
【００５１】
前記上下２本のワイヤのうち、下側のワイヤである第二ワイヤ１４２は、その上端部から右下方に延びるように形成されると共に、当該延びた端部が略下方に延びるように形成される。第二ワイヤ１４２は、その上端部がターンバックル１５０に取り付けられる。また、第二ワイヤ１４２は、その下部近傍中途部（右下方に延びた端部）が下側金具１３０の前側の第二貫通孔１３２に挿通されて略下方（前下方）へと向けられ、中央のハンガー３０へと案内される。また、第二ワイヤ１４２は、その下端部１４２ａが中央のハンガー３０に接続される。
【００５２】
より詳細には、第二ワイヤ１４２の下端部１４２ａは、前後一対の側壁３２の取付孔３２ａに挿通されるループ状に形成される。また、第二ワイヤ１４２の下端部１４２ａは、左側のワイヤ１４０Ｌが引っ張られた場合に、縮径されるように構成される。なお、図１、図２、図５から図８まで及び図１０においては、説明のため、第二ワイヤ１４２がハンガー３０に取り付けられた状態を模式的に示している。
【００５３】
なお、以下においては、左側のワイヤ１４０Ｌのうち、右下方（左上方）に延びる部分、すなわち第一ワイヤ１４１の全体、及び第二ワイヤ１４２の右下方に延びる部分を「傾斜部１４３」と称する。また、第二ワイヤ１４２の略下方に延びる部分を「鉛直部１４４」と称する。
【００５４】
なお、右側のワイヤ１４０Ｒは、中央の吊りボルト１０を基準として左側のワイヤ１４０Ｌに対して略左右対称に配置される。このような右側のワイヤ１４０Ｒの傾斜部１４３は、左下方（右上方）に延びるように形成される。これにより、左右一対のワイヤ１４０Ｌ・１４０Ｒの傾斜部１４３は、正面視略Ｖ字状に形成される。なお、このような左右一対のワイヤ１４０Ｌ・１４０Ｒの傾斜部１４３の左右方向に対する傾斜角度（図１に示す角度θ参照）は、３０°〜６０°であることが望ましい。また、右側のワイヤ１４０Ｒは、下側金具１３０の後側の第二貫通孔１３２に挿通されて、略下方に延びる鉛直部１４４が形成される。
【００５５】
左右一対のターンバックル１５０は、左右一対のワイヤ１４０Ｌ・１４０Ｒの張力を調整するためのものである。左右一対のターンバックル１５０は、左右一対のワイヤ１４０Ｌ・１４０Ｒの張力を調整することで、天井Ｂの固有周期を調整することができる。本実施形態に係る左右一対のターンバックル１５０は、天井Ｂの固有周期が地震の固有周期に対してずれるように、すなわち地震動に対して天井Ｂの揺れが増幅する（共振する）周期帯を効果的に外れるように左右一対のワイヤ１４０Ｌ・１４０Ｒの張力を調整している。
【００５６】
次に、図５から図７までを参照して地震が発生した場合の抑制機構１００の動作について説明する。なお、以下においては、地震が発生して天井Ｂに左右方向への力が作用した場合を例に挙げて説明する。また、図５及び図７に白塗りで示す矢印は、天井Ｂが揺れる方向を示している。また、図５から図７までに黒塗りで示す矢印は、ワイヤ１４０Ｌ・１４０Ｒが引っ張られる方向を示している。
【００５７】
まず、図５及び図６を参照して、地震等が発生して天井Ｂに右方への力（例えば、地震力）が作用した場合の抑制機構１００の動作について説明する。
【００５８】
図５に示す天井Ｂに右方への力が作用すると、３つの吊りボルト１０は、その軸線方向が左上方（右下方）を向くように傾く。このとき、左側のワイヤ１４０Ｌは、その上端部が下端部に対して相対的に左方へ移動することとなり、左方へ引っ張られる。これにより、傾斜部１４３は、左上方へ引っ張られる。
【００５９】
左側のワイヤ１４０Ｌの傾斜部１４３は、左上方へ引っ張られると、突っ張って天井Ｂの右方への揺れに抵抗する。これによって、左側のワイヤ１４０Ｌは、天井Ｂに作用する右方への力を中央のハンガー３０に伝達し、中央のハンガー３０と躯体Ａとの相対移動を抑制できる。
【００６０】
これによれば、左側のワイヤ１４０Ｌは、中央のハンガー３０の右方への揺れを抑制することができる。また、中央のハンガー３０に支持される野縁受け４０の揺れも抑制することができる。これによって、左側のワイヤ１４０Ｌは、天井Ｂが右方へ揺れた場合に、野縁受け４０が前後一対の側壁３２を押圧したり前後一対の側壁３２と衝突する等して前後一対の側壁３２に荷重がかかるのを抑制できるため、開口部３４が開くのを抑制できる。これにより、野縁受け４０が中央のハンガー３０から脱落するのを抑制できるため、ハンガー３０から下の部材が脱落するのを抑制することができる。
【００６１】
また、左側のワイヤ１４０Ｌが左方へ引っ張られると、図６に示すように、第二ワイヤ１４２は、その下端部１４２ａが縮径され、中央のハンガー３０の前後一対の側壁３２を締め付ける（図６に二点鎖線で示す縮径前の下端部１４２ａ参照）。これにより、第二ワイヤ１４２は、前後一対の側壁３２に対して開口部３４を閉じるような力を加えて前側の側壁３２を変形させる。これによれば、第二ワイヤ１４２は、天井Ｂが右方へ揺れた場合に、中央のハンガー３０の開口部３４が開くのを効果的に抑制できるため、野縁受け４０がハンガー３０から脱落するのを効果的に抑制できる。これによって、ハンガー３０から下の部材が脱落するのを効果的に抑制することができる。
【００６２】
また、本実施形態に係る左側のワイヤ１４０Ｌは、左方へ引っ張られた場合に、前側の側壁３２を変形させて野縁受け４０と当接させる。これによれば、天井Ｂに作用する右方への力を左側のワイヤ１４０Ｌ及び中央のハンガー３０を介して野縁受け４０にも伝達することができるため、野縁受け４０と躯体Ａとの相対移動を抑制できる。これにより、天井Ｂが右方へ揺れた場合に、野縁受け４０の揺れを効果的に抑制できるため、野縁受け４０がハンガー３０から脱落するのを効果的に抑制することができる。これによって、ハンガー３０から下の部材が脱落するのを効果的に抑制することができる。
【００６３】
また、左側のワイヤ１４０Ｌは、左方へ引っ張られると、鉛直部１４４が略上方（後上方）へ引っ張られることとなる。これにより、左側のワイヤ１４０Ｌは、前後一対の側壁３２を略上方へと引っ張り上げる。このような構成によれば、左側のワイヤ１４０Ｌは、前後一対の側壁３２に左右方向の力が極力作用しないようにすることができる。これにより、中央のハンガー３０がねじれる（底部３１及び前後一対の側壁３２が固定部３３に対してねじれる）、あるいは中央のハンガー３０全体が左右に傾くのを抑制することができる。
【００６４】
次に、図７を参照して、地震等が発生して天井Ｂに左方への力が作用した場合の抑制機構１００の動作について説明する。
【００６５】
天井Ｂに左方への力が作用すると、３つの吊りボルト１０は、その軸線方向が右上方（左下方）を向くように傾く。これにより、右側のワイヤ１４０Ｒは、右方へ引っ張られることとなり、傾斜部１４３が右上方へ引っ張られる。
【００６６】
右側のワイヤ１４０Ｒの傾斜部１４３は、右上方へ引っ張られると、突っ張って天井Ｂの左方への揺れに抵抗する。これにより、右側のワイヤ１４０Ｒは、天井Ｂに作用する左方への力を中央のハンガー３０に伝達し、中央のハンガー３０と躯体Ａとの相対移動を抑制できる。これによって、右側のワイヤ１４０Ｒは、中央のハンガー３０の左方への揺れを抑制することができるため、野縁受け４０が中央のハンガー３０から脱落するのを抑制できる。これによれば、ハンガー３０から下の部材が脱落するのを抑制することができる。
【００６７】
なお、右側のワイヤ１４０Ｒは、右方へ引っ張られると、左側のワイヤ１４０Ｌと同様に、中央のハンガー３０の前後一対の側壁３２を締め付ける。また、右側のワイヤ１４０Ｒは、右方へ引っ張られると、左側のワイヤ１４０Ｌと同様に、前後一対の側壁３２を略上方へ引っ張り上げる（図６参照）。
【００６８】
以上の如く、本実施形態に係る抑制機構１００は、傾斜部１４３の向きが異なる（平面視で異なる）左右一対のワイヤ１４０Ｌ・１４０Ｒにより、天井Ｂが左右のいずれの方向に揺れた場合でも、中央のハンガー３０の揺れを抑制できる。
【００６９】
また、抑制機構１００は、本実施形態とは異なり、右下方（左上方）や左下方（右上方）に延出して２つの吊りボルト１０に取り付けられる長尺状の鋼材を用いて中央のハンガー３０の揺れを抑制する場合等と比較して、その構成を簡素化することができる。また、左右一対のワイヤ１４０Ｌ・１４０Ｒは、可撓性を有するため、天井Ｂに設けられるダクト（不図示）等を迂回するように配設できる。これにより、前記ダクト等との干渉を簡単に回避することができる。
【００７０】
また、水平材２０は、下側金具１３０よりも下方に配置されている。このように構成することで、天井Ｂが左右に揺れた場合に、左右一対のワイヤ１４０Ｌ・１４０Ｒから中央の吊りボルト１０（下側金具１３０が設けられる部分）に伝達される左右の力を、水平材２０によって受けることができる。これによれば、中央の吊りボルト１０のうち、下側金具１３０が設けられる部分よりも下方の揺れを抑制できる。これによって、中央のハンガー３０を揺れ難くすることができるため、野縁受け４０が中央のハンガー３０から脱落するのを抑制できる。これにより、ハンガー３０から下の部材が脱落するのを抑制することができる。また、水平材２０により、３つの吊りボルト１０が座屈するのも抑制できる。
【００７１】
また、左右一対のワイヤ１４０Ｌ・１４０Ｒは、吊りボルト１０に取り付けられている。これによれば、左右一対のワイヤ１４０Ｌ・１４０Ｒを吊りボルト１０に取り付けた状態で、当該吊りボルト１０を躯体Ａに取り付けることができる。これにより、左右一対のワイヤ１４０Ｌ・１４０Ｒと吊りボルト１０とをまとめて躯体Ａに取り付けることができるため、取付性を向上できる。また、本実施形態においては、吊りボルト１０の上端部、すなわち躯体Ａに近い部分に左右一対のワイヤ１４０Ｌ・１４０Ｒの上端部を取り付けているため、左右一対のワイヤ１４０Ｌ・１４０Ｒ（傾斜部１４３）が天井Ｂの揺れに抵抗し易くなって中央のハンガー３０の揺れを効果的に抑制できる。
【００７２】
また、左右一対のワイヤ１４０Ｌ・１４０Ｒは、引っ張られた場合に前後一対の側壁３２を締め付けるように構成されている。このような構成においては、左右一対のワイヤ１４０Ｌ・１４０Ｒの取付時に（予め）前後一対の側壁３２を締め付けなくても、天井Ｂが揺れた場合に開口部３４が開くのを抑制できるため、左右一対のワイヤ１４０Ｌ・１４０Ｒを簡単に取り付けることができる。
【００７３】
また、本実施形態に係る抑制機構１００は、ターンバックル１５０による左右一対のワイヤ１４０Ｌ・１４０Ｒの張力の調整によって、天井Ｂの固有周期を地震の固有周期に対してずらしている。これによれば、地震が発生した場合に天井Ｂの揺れが増幅する（共振する）のを抑制することができる。
【００７４】
また、図８に示すように、抑制機構１００は、天井Ｂのうち、ハンガー３０が脱落し易い部分、具体的には重量が重い設置物が設置される部分や壁際に重点的に配置される。このような重量が設置物としては、例えば、エアコン等がある。また、抑制機構１００は、天井Ｂのうち、重量が重い設置物が設置される部分や壁際を除く部分にバランスよく（例えば、一定の間隔をあけて）配置される。これにより、抑制機構１００は、天井Ｂ全体が脱落するのを抑制することができる。
【００７５】
以上の如く、本実施形態に係る天井構造１は、躯体Ａから吊り下げられた吊りボルト１０と、前記吊りボルト１０に固定され、野縁受け４０を支持可能なハンガー３０（中央のハンガー３０）と、上下方向に対して傾斜する方向に延出され、下側が前記ハンガー３０に接続されると共に上側が当該ハンガー３０が固定された前記吊りボルト１０（中央の吊りボルト１０）とは異なる吊りボルト１０（左側及び右側の吊りボルト１０）又は前記躯体Ａに接続されるワイヤ１４０Ｌ・１４０Ｒと、を具備するものである。
【００７６】
このように構成することにより、天井Ｂに地震力が作用した場合に、ワイヤ１４０Ｌ・１４０Ｒが突っ張って天井Ｂの揺れに抵抗することができる。これにより、ハンガー３０の揺れを抑制することができるため、野縁受け４０がハンガー３０から脱落するのを抑制することができる。これによって、ハンガー３０から下の部材が脱落するのを抑制することができる。
【００７７】
また、前記ハンガー３０は、前記野縁受け４０が載置される底部３１と、前記底部３１から立ち上がる前後一対の側壁３２と、を有すると共に当該前後一対の側壁３２の間に開口部３４が形成され、前記ワイヤ１４０Ｌ・１４０Ｒの前記下側は、前記ハンガー３０の前記開口部３４が開くのを抑制するように、前記ハンガー３０の前記前後一対の側壁３２に取り付けられるものである。
【００７８】
このように構成することにより、野縁受け４０がハンガー３０から脱落するのを効果的に抑制することができる。これによって、ハンガー３０から下の部材が脱落するのを抑制することができる。
【００７９】
また、前記ワイヤ１４０Ｌ・１４０Ｒの前記下側は、前記ワイヤ１４０Ｌ・１４０Ｒが引っ張られることにより、前記ハンガー３０の前記前後一対の側壁３２に対して前記開口部３４を閉じるような力を加えるものである。
【００８０】
このように構成することにより、天井Ｂに地震力が作用した場合に、ハンガー３０の開口部３４が開くのを効果的に抑制することができる。これにより、野縁受け４０がハンガー３０から脱落するのを効果的に抑制することができる。これによって、ハンガー３０から下の部材が脱落するのを抑制することができる。
【００８１】
また、前記ハンガー３０よりも上方において、当該ハンガー３０が固定された前記吊りボルト１０に設けられ、前記ワイヤ１４０Ｌ・１４０Ｒを前記ハンガー３０へと案内する下側金具１３０（案内部材）をさらに具備するものである。
【００８２】
このように構成することにより、ワイヤ１４０Ｌ・１４０Ｒが引っ張られた場合に、前後一対の側壁３２を略上方へ引っ張り上げることができる。これによって、ハンガー３０がねじれる、あるいは傾くのを抑制することができる。
【００８３】
また、複数の前記吊りボルト１０を跨いで前記複数の吊りボルト１０に取り付けられると共に、前記下側金具１３０よりも下方に配置される水平材２０をさらに具備するものである。
【００８４】
このように構成することにより、天井Ｂに地震力が作用した場合に、ワイヤ１４０Ｌ・１４０Ｒから吊りボルト１０（下側金具１３０が設けられる部分よりも下方）に加わる水平方向の力を、水平材２０によって受けることができる。これによって、吊りボルト１０のうち、下側金具１３０が設けられる部分よりも下方の揺れを抑制できるため、野縁受け４０がハンガー３０から脱落するのを効果的に抑制することができる。これによって、ハンガー３０から下の部材が脱落するのを抑制することができる。
【００８５】
また、上下方向に対して傾斜する方向が、上下方向から見て互いに異なる複数の前記ワイヤ１４０Ｌ・１４０Ｒを具備するものである。
【００８６】
このような複数のワイヤ１４０Ｌ・１４０Ｒによれば、天井Ｂに対する複数方向の水平方向の力に抵抗することができる。これにより、ハンガー３０が揺れるのを効果的に抑制することができる。
【００８７】
また、前記ワイヤ１４０Ｌ・１４０Ｒの前記上側は、前記異なる吊りボルト１０の上端部に取り付けられるものである。
【００８８】
このように構成することにより、取付性を向上させつつ、ハンガー３０が揺れるのを効果的に抑制することができる。
【００８９】
なお、本実施形態に係る下側金具１３０は、本発明に係る案内部材の実施の一形態である。
【００９０】
以上、本発明の実施形態を説明したが、本発明は上記構成に限定されるものではなく、特許請求の範囲に記載された発明の範囲内で種々の変更が可能である。
【００９１】
例えば、天井構造１は、種々の建物に採用可能であり、具体的には、工場や倉庫等に採用することができる。
【００９２】
また、ワイヤ１４０Ｌ・１４０Ｒは、上下方向に対して左右に傾斜するものとしたが、上下方向に対して傾斜する方向は、これに限定されるものではない。ワイヤ１４０Ｌ・１４０Ｒは、例えば、上下方向に対して前後に傾斜するものであってもよい。
【００９３】
また、左右一対のワイヤ１４０Ｌ・１４０Ｒは、必ずしも左右一対のフック１２０を介して上側金具１１０に取り付けられる必要はなく、例えば、左右一対の上側金具１１０に直接取り付けられるものであってもよい。
【００９４】
また、左右一対のワイヤ１４０Ｌ・１４０Ｒの上端部が取り付けられる部分は、吊りボルト１０の上端部に限定されるものではなく、例えば、吊りボルト１０の上下中途部であってもよい。また、左右一対のワイヤ１４０Ｌ・１４０Ｒの上端部は、必ずしも吊りボルト１０に取り付けられる必要はなく、例えば、躯体Ａであってもよい。
【００９５】
また、左右一対のワイヤ１４０Ｌ・１４０Ｒは、少なくともハンガー３０と接続されていればよく、必ずしも本実施形態のように前後一対の側壁３２に取り付けられて開口部３４が開くのを抑制する必要はない。
【００９６】
また、本実施形態においては、左右一対のワイヤ１４０Ｌ・１４０Ｒが引っ張られた場合に縮径するループ状の下端部１４２ａにより、開口部３４に閉じるような力を加えたが、当該閉じるような力を加える構成は、これに限定されるものではなく、適宜の構成を採用することができる。また、開口部３４に閉じるような力を加える場合においては、必ずしも前側の側壁３２を変形させる必要はない。
【００９７】
また、左右一対のワイヤ１４０Ｌ・１４０Ｒは、必ずしも引っ張られた場合に開口部３４に閉じるような力を加える必要はない。なお、閉じるような力を加えない場合においては、例えば、左右一対のワイヤ１４０Ｌ・１４０Ｒが前後一対の側壁３２に巻き付けられる等して、開口部３４が開くのを抑制するように構成されることが望ましい。
【００９８】
また、水平材２０は、下側金具１３０よりも下方に配置されるものとしたが、水平材２０の下側金具１３０との位置関係はこれに限定されるものではなく、下側金具１３０よりも上方に配置されていてもよい。また、水平材２０は、下側金具１３０の上方及び下方のそれぞれに配置されていてもよい。
【００９９】
また、下側金具１３０は、第二貫通孔１３２が４つ（前部、後部、左部及び右部に）形成されるものとしたが、第二貫通孔１３２が形成される数は、これに限定されるものではなく、任意の数を選択することができる。下側金具１３０は、例えば、第二貫通孔１３２が２つ形成されるものであってもよい。
【０１００】
また、下側金具１３０の第二貫通孔１３２の形状は、平面視半楕円状に限定されるものではなく、任意の形状を選択することができる。第二貫通孔１３２は、例えば、平面視略円状や平面視略矩形状に形成されるものであってもよい。
【０１０１】
また、抑制機構１００は、必ずしも下側金具１３０及びターンバックル１５０を具備する必要はない。
【０１０２】
また、天井構造１は、必ずしも水平材２０を具備する必要はない。
【０１０３】
また、抑制機構１００は、２本（左右一対）のワイヤ１４０Ｌ・１４０Ｒを具備するものとしたが、ワイヤ１４０Ｌ・１４０Ｒの本数はこれに限定されるものではなく、任意の本数とすることができる。抑制機構１００は、例えば、図９に示す第一変形例に係る抑制機構２００のように、下側金具１３０の４つの第二貫通孔１３２にそれぞれ挿通される４本のワイヤを具備していてもよい。当該４本のワイヤは、左右一対のワイヤ２４０Ｌ・２４０Ｒと、前後一対のワイヤ２４０Ｆ・２４０Ｂと、により構成される。前側のワイヤ２４０Ｆは、前上方（後下方）に延びるように形成される。後側のワイヤ２４０Ｂは、後上方（後下方）に延びるように形成される。
【０１０４】
このような第一変形例に係る抑制機構２００によれば、天井Ｂが前方へ揺れた場合に、後側のワイヤ２４０Ｆが突っ張って当該前方への揺れに抵抗することができる。また、天井Ｂが後方へ揺れた場合に、前側のワイヤ２４０Ｂが突っ張って当該後方への揺れに抵抗することができる。これにより、抑制機構２００は、ハンガー３０の前後左右いずれの揺れも抑制可能となるため、ハンガー３０の揺れを効果的に抑制できる。
【０１０５】
また、抑制機構１００は、図１０に示す第二変形例に係る抑制機構３００のように、左右一対のバネ３６６を具備していてもよい。左右一対のバネ３６６は、左右一対のターンバックル１５０よりも上側（左右一対の上側金具１１０に近い側）に配置される。左右一対のワイヤ３４０Ｌ・３４０Ｒは、それぞれバネ３６６及びターンバックル１５０により接続された３本のワイヤにより構成される。前記３本のワイヤのうち、最も上側のワイヤ３４１は、その上端部が上側金具１１０に取り付けられると共にその下端部がバネ３６６に取り付けられる。前記３本のワイヤのうち、上下中途部に位置するワイヤ３４２は、その上端部がバネ３６６に取り付けられると共にその下端部がターンバックル１５０に取り付けられる。前記３本のワイヤのうち、最も下側のワイヤ３４３は、その上端部がターンバックル１５０に取り付けられると共にその下端部が中央のハンガー３０に取り付けられる。バネ３６６は、前記ワイヤ３４２・３４３を前記ワイヤ３４１に接近する方向に付勢する。
【０１０６】
このような第二変形例に係る抑制機構３００は、天井Ｂが揺れて左右一対のワイヤ３４０Ｌ・３４０Ｒが引っ張られた場合に、当該引っ張りによって生じる衝撃を左右一対のバネ３６６で緩和することができる。これにより、天井Ｂが揺れた場合に左右一対のワイヤ３４０Ｌ・３４０Ｒが破損するのを抑制できる。また、ハンガー３０が躯体Ａに対して揺れるのを抑制することができる。また、左右一対のバネ３６６を設けることで、天井Ｂの固有周期を変えることができる。よって、天井Ｂの固有周期を地震の固有周期に対してずらせるようなバネ３６６を採用することで、天井Ｂの揺れが増幅するのを抑制することができる。なお、左右一対のバネ３６６は、左右一対のターンバックル１５０よりも下側に配置されていてもよい。
【０１０７】
以上の如く、第二変形例に係る抑制機構３００において、前記ワイヤ３４０Ｌ・３４０Ｒは、前記上側を含む第一ワイヤ３４１と、前記下側を含む第二ワイヤ３４２・３４３と、を具備し、前記天井構造１は、前記第一ワイヤ３４１と前記第二ワイヤ３４２・３４３とを連結すると共に、前記第二ワイヤ３４２・３４３を前記第一ワイヤ３４１に接近する方向に付勢するバネ３６６（付勢部材）をさらに具備するものである。
【０１０８】
このように構成することにより、ワイヤ３４０Ｌ・３４０Ｒが引っ張られた際の衝撃を緩和することができ、さらにハンガー３０が躯体Ａに対して揺れるのを抑制する相乗効果が得られる。
【０１０９】
なお、第二変形例に係るバネ３６６は、本発明に係る付勢部材の実施の一形態である。
また、第二変形例に係る最も上側のワイヤ３４１は、本発明に係る第一ワイヤの実施の一形態である。
また、第二変形例に係る上下中途部に位置するワイヤ３４２及び最も下側のワイヤ３４３は、本発明に係る第二ワイヤの実施の一形態である。
【０１１０】
また、抑制機構１００は、図１１に示す第三変形例に係る抑制機構４００のように、金具４７０を具備していてもよい、金具４７０は、剛体の高い材料によって構成された正面視略円環状の部材である。金具４７０は、左側の上側金具１１０の右下方に配置されると共に、その内側にダクトＤが配置される。第三変形例に係る左側のワイヤ４４０Ｌは、金具４７０を介して接続された２本のワイヤを有する。第三変形例に係る金具４７０によれば、左側のワイヤ４４０Ｌを曲げることなく左側のワイヤ４４０ＬとダクトＤとの干渉を回避することができる。
【符号の説明】
【０１１１】
１                  天井構造
１０                吊りボルト
３０                ハンガー
４０                野縁受け
１４０Ｌ・１４０Ｒ  左右一対のワイヤ（ワイヤ）
Ａ                  躯体
【図１】
2019060213.tif 000003
【図２】
2019060213.tif 000004
【図３】
2019060213.tif 000005
【図４】
2019060213.tif 000006
【図５】
2019060213.tif 000007
【図６】
2019060213.tif 000008
【図７】
2019060213.tif 000009
【図８】
2019060213.tif 000010
【図９】
2019060213.tif 000011
【図１０】
2019060213.tif 000012
【図１１】
2019060213.tif 000013